(57)【要約】  成分測定装置である血糖計（１０）は、筐体（１２）と、筐体（１２）の側面から突出し、体液中の成分を検出可能な測定部（２６）と、筐体（１２）内に一体的に収容される部材のうち比較的重く構成された重量部（７５）とを含む。さらに、血糖計（１０）は、落下時に弾性変形することにより測定部（２６）と重量部（７５、１０２）を相対変位させる緩衝部材（７０）又はケース支持部材（７６）を備える。
2014041679.tif 000002
【特許請求の範囲】
【請求項１】
筐体（１２、１００）と、
前記筐体（１２、１００）から突出し、液体中の成分を検出可能な測定部（２６）と、
前記筐体（１２、１００）内に収容される部材のうち比較的重く構成された重量部（７５、１０２）とを有する成分測定装置（１０、１０Ａ、１０Ｂ）であって、
前記筐体（１２、１００）内に設けられ、前記測定部（２６）に作用する衝撃を吸収する衝撃吸収部（７０、７６、１０４）を備え、
前記衝撃吸収部（７０、７６、１０４）は、前記成分測定装置（１０、１０Ａ、１０Ｂ）の落下時に弾性変形することにより、前記測定部（２６）と前記重量部（７５、１０２）を相対変位させる
ことを特徴とする成分測定装置（１０、１０Ａ、１０Ｂ）。
【請求項２】
請求項１記載の成分測定装置（１０、１０Ａ）において、
前記衝撃吸収部（７０、７６、１０４）は、前記筐体（１２、１００）と前記重量部（７５、１０２）の間を弾性的に連結する弾性部材（７６、１０４）を含む
ことを特徴とする成分測定装置（１０、１０Ａ）。
【請求項３】
請求項２記載の成分測定装置（１０、１０Ａ）において、
前記弾性部材（７６、１０４）は、前記筐体（１２、１００）から突出する前記測定部（２６）の突出方向に対応する前記重量部（７５、１０２）の少なくとも一方側に配設され、前記突出方向に対し傾斜して延在し前記筐体（１２、１００）に連結される延在部（９４、１０６）を有する
ことを特徴とする成分測定装置（１０、１０Ａ）。
【請求項４】
請求項１記載の成分測定装置（１０）において、
前記重量部（７５）は、当該成分測定装置（１０）に電力を供給可能な電池（１８）を収容した電池部（４６）を含む
ことを特徴とする成分測定装置（１０）。
【請求項５】
請求項１〜４のいずれか１項に記載の成分測定装置（１０、１０Ｂ）において、
前記衝撃吸収部（７０、７６、１０４）は、前記測定部（２６）の突出方向の反対面と前記筐体（１２、１００）に連なる連設部（５２）の間に設けられる緩衝部材（７０）を含む
ことを特徴とする成分測定装置（１０、１０Ｂ）。
【請求項６】
請求項５記載の成分測定装置（１０、１０Ｂ）において、
前記緩衝部材（７０）は、前記反対面に配置されている検出回路（６８）の周囲を囲うように設けられる
ことを特徴とする成分測定装置（１０、１０Ｂ）。
【発明の詳細な説明】
【技術分野】
【０００１】
本発明は、例えば、液体中の成分を測定する成分測定装置に関する。
【背景技術】
【０００２】
血液や尿等の体液中の生体成分を検出して、その成分量や性質等を測定する場合、光学的に測定可能な成分測定装置が用いられている。特に、場所を問わずに簡易に測定したいとの要望から、近年は、持ち運びができるハンディタイプの成分測定装置も開発されている（例えば、登録実用新案第３１５５８４２号公報参照）。【０００３】
登録実用新案第３１５５８４２号公報に開示されている血糖計（成分測定装置）は、血糖値の測定を行う各種部材が内部に収容される筐体と、筐体の先端から突出し血液を取り込むチップを装着可能な測定部とを有する。このように、筐体から測定部が突出していることで、ユーザは、チップと血液の接触を良好に視認して、装置内に血液を容易に取り込むことができる。【０００４】
ところで、ハンディタイプの成分測定装置は、持ち運び時や測定時に装置を落としてしまう危険性が常に付きまとっている。そして、装置の落下により筐体から突出した測定部に大きな衝撃（荷重）がかかると、この測定部が破損してしまい、測定部に対するチップの装着や遮光性に不具合が発生してしまう。特に、近年は、コストの低減等の観点から、筐体や測定部を樹脂材料により成形する傾向にあり、落下時における装置の耐衝撃性を向上することが求められている。
【発明の概要】
【０００５】
本発明は、上記の実情に鑑みてなされたものであって、簡単な構成により落下時の衝撃を吸収して装置の耐衝撃性を向上することが可能であり、これにより装置の取扱性を高めることができる成分測定装置の提供を目的とする。
【０００６】
前記の目的を達成するために、本発明は、筐体と、前記筐体から突出し、液体中の成分を検出可能な測定部と、前記筐体内に収容される部材のうち比較的重く構成された重量部とを有する成分測定装置であって、前記筐体内に設けられ、前記測定部に作用する衝撃を吸収する衝撃吸収部を備え、前記衝撃吸収部は、前記成分測定装置の落下時に弾性変形することにより、前記測定部と前記重量部を相対変位させることを特徴とする。
【０００７】
上記によれば、成分測定装置は、筐体内に設けられた衝撃吸収部によって、成分測定装置の落下時に、測定部と重量部が相対変位することで測定部にかかる衝撃を良好に吸収することができる。従って、成分測定装置は、例えば、複数の電池等の重い部材を筐体内に収容した構成、又は測定部が樹脂材料からなる構成を採用した場合でも、測定部の耐衝撃性を大幅に向上して、測定部の破損等を抑制することができる。その結果、成分測定装置を落としたとしても、故障の発生が低減されて、装置の取扱性を高めることができる。
【０００８】
この場合、前記衝撃吸収部は、前記筐体と前記重量部の間を弾性的に連結する弾性部材を含む構成とすることができる。
【０００９】
このように、衝撃吸収部は、筐体と重量部の間を弾性的に連結する弾性部材を含むことで、筐体から重量部に伝達される衝撃を弾性部材により容易に吸収することができ、測定部と重量部を円滑に相対変位させることができる。
【００１０】
また、前記弾性部材は、前記筐体から突出する前記測定部の突出方向に対応する前記重量部の少なくとも一方側に配設され、前記突出方向に対し傾斜して延在し前記筐体に連結される延在部を有することが好ましい。
【００１１】
このように、弾性部材が測定部の突出方向に対して傾斜する延在部を有することで、成分測定装置の落下時に、重量部を測定部の突出方向に弾性的に変位させることができる。そのため、測定部又は筐体から伝達される衝撃が、測定部の突出方向に一層確実に吸収され、測定部の耐衝撃性をさらに高めることができる。
【００１２】
ここで、前記重量部は、当該成分測定装置に電力を供給可能な電池を収容した電池部を含む構成とすることができる。
【００１３】
これにより、衝撃吸収部は、電池を収容した電池部に伝達される衝撃を吸収することができ、電池の脱落や電池部による他の部材の破損等を抑制することができる。
【００１４】
或いは、前記衝撃吸収部は、前記測定部の突出方向の反対面と前記筐体に連なる連設部の間に設けられる緩衝部材を含む構成とすることもできる。
【００１５】
このように、衝撃吸収部が測定部の突出方向の反対面と筐体に連なる連設部の間に設けられることで、成分測定装置の落下時に、測定部と連設部の間を伝達する衝撃を良好に吸収することができる。よって、測定部の破損をより確実に低減することができる。
【００１６】
また、前記緩衝部材は、前記反対面に配置されている検出回路の周囲を囲うように設けられるとよい。
【００１７】
これにより、成分測定装置による測定時に検出回路が発熱等を起こしたとしても、容易に放熱することができる。
【図面の簡単な説明】
【００１８】
【図１】本発明の実施形態に係る血糖計の全体構成を示す斜視図である。
【図２】図１の血糖計をＹ２方向から見た状態を示す一部側面断面図である。
【図３】図１の筐体の内部構造を示す分解斜視図である。
【図４】図２の測定部及び緩衝部材を基端方向から見た状態を示す部分斜視図である。
【図５】図１の血糖計の筐体及び電池部の関係性を示す要部斜視図である。
【図６】図６Ａは、血糖計の測定部から落下した際の衝撃の状態を概略的に示す第１説明図であり、図６Ｂは、血糖計の筐体から落下した際の衝撃の状態を概略的に示す第２説明図である。
【図７】第１変形例に係る血糖計の全体構成を示す斜視図である。
【図８】第２変形例に係る血糖計の全体構成を示す斜視図である。
【発明を実施するための形態】
【００１９】
以下、本発明に係る成分測定装置について好適な実施の形態を挙げ、添付の図面を参照して詳細に説明する。
【００２０】
実施形態の説明では、成分測定装置として、血液（液体）中の成分のうち主に血糖値を測定する血糖計について詳述する。この血糖計は、医師や看護師、或いは糖尿病患者等（以下、ユーザという）が血液を採取して血糖値を測定し、その血糖値の測定データを管理する装置である。
【００２１】
図１は、本発明の実施形態に係る血糖計１０（成分測定装置）の全体構成を示す斜視図である。なお、以下の説明では、図１に記載の矢印に基づき、装置の先端及び基端の延在方向（長手方向）をＸ方向、装置の左右幅方向をＹ方向、装置の上下方向（短手方向）をＺ方向とも呼ぶ。また、血糖計１０の先端方向をＸ１方向、基端方向をＸ２方向、先端から見た左方向をＹ１方向、右方向をＹ２方向、血糖計１０の上方向をＺ１方向、下方向をＺ２方向とも呼ぶ。なお、これらの方向は、説明の便宜上のものであり、血糖計１０を任意の向きで使用してもよいことは勿論である。
【００２２】
血糖計１０は、外観を構成する箱状の筐体１２を有し、筐体１２の内部には血糖値の測定を行う種々の部材が収容されている。筐体１２のＹ２方向側の平面には、表示部１４及び操作部１６が設けられており、筐体１２のＹ１方向側の平面（反対面）には、内部に電池１８（図２参照）を挿入可能な図示しない電池挿入面が設けられている。筐体１２は、これら両平面の周囲（Ｘ方向及びＺ方向の側面）を所定の厚みを有するように囲い、且つ角部がＲ状に形成された略直方形状に構成されている。また、筐体１２は、幅方向（Ｙ方向）中間部を基点に分割される２つのケース（第１ケース１２ａ及び第２ケース１２ｂ）が連結することで一体化される。
【００２３】
筐体１２のＹ２方向側の平面には、透明性を有するパネル２０が略全面にわたって外装されており、このパネル２０により表示部１４及び操作部１６が保護されている。表示部１４には、例えば、血糖値の測定に必要な情報を表示する表示面１４ａを有する液晶パネル２２が適用される。表示部１４の表示情報としては、例えば、血糖値データ、測定時の案内情報、装置や測定のエラー情報等が挙げられる。操作部１６は、表示部１４の基端側に設けられた３つの押しボタン１６ａによって構成され、電源のオン／オフ、表示部１４の表示情報の切換や血糖値の確認操作を実施する機能を有している。
【００２４】
筐体１２の先端側の側面のうち上部寄りには、該先端側の側面から隆起する隆起部２４が形成されており、この隆起部２４の内側から外側を貫通するように測定部２６が配設されている。測定部２６は、筐体１２と別の部材からなる先端ケース２８を含み、この先端ケース２８は先端方向に突出する円筒部３０を有している。円筒部３０は、隆起部２４に形成された挿通孔２４ａを挿通して筐体１２の外部に露出されており、その先端には測定チップ３２が着脱自在に取り付けられる開口部３０ａが形成されている。
【００２５】
測定チップ３２は、円板状に形成されたベース部３４と、このベース部３４の先端面側に連なるノズル３６と、ベース部３４の基端面側に連なる係合部３８とを備える。ベース部３４は、円筒部３０の外径と略一致するように形成され、その中心部にノズル３６が立設されている。ノズル３６は、軸心を貫通する採取孔３６ａを有し、さらにノズル３６の先端面には、血液を吸収しやすくするための凹溝３６ｂが形成されている。
【００２６】
係合部３８は、弾性力を有する係止爪３８ａを複数有し、円筒部３０の開口部３０ａ内に形成された図示しない被係止部に係止可能となっている。また、ベース部３４の基端面且つ係止爪３８ａの内側には、ノズル３６の採取孔３６ａを通って採取された血液が染み込む試験紙（図示せず）が収容される。血糖計１０は、この試験紙に染み込み呈色した血液に照射光を照射して、試験紙からの反射光を受光することで血液成分の測定を行う。
【００２７】
さらに、筐体１２の上側の側面のうち先端寄りには、筐体１２に対しスライド自在に設けられたイジェクト操作子４０が取り付けられている。イジェクト操作子４０は、筐体１２内部においてイジェクト機構４２（図３参照）に接続されており、イジェクト機構４２は、イジェクト操作子４０のスライドにともない円筒部３０に装着された測定チップ３２を押し出して取り外す機能を有している。
【００２８】
図２は、図１の血糖計１０をＹ２方向から見た状態を示す一部側面断面図であり、図３は、図１の筐体１２の内部構造を示す分解斜視図である。血糖計１０の筐体１２の内部には、上述した表示部１４、操作部１６、測定部２６及びイジェクト機構４２の他に、血糖値の測定を制御する制御系基板４４及び電池部４６等が収容される。筐体１２の内部には、測定部２６を配置するための測定部配置部４８が先端寄りに、表示部１４、操作部１６、制御系基板４４及び電池部４６等が配置されるメイン配置部５０が測定部配置部４８の基端側にそれぞれ形成されている。測定部配置部４８とメイン配置部５０は、仕切板５２（連設部）によって区切られており、この仕切板５２は筐体１２の内面に連設されている。
【００２９】
測定部２６は、上述した先端ケース２８と、先端ケース２８の内部に収容される測光ブロック５４と、測光ブロック５４の基端面に取り付けられ発光素子及び受光素子（共に図示せず）が実装された光学系基板５６（図４参照）とを有する。
【００３０】
先端ケース２８は、前記円筒部３０と、円筒部３０に連なるブロック収容部５８とが樹脂材料によって一体成形された部材である。ブロック収容部５８は、筐体１２内に収容され、円筒部３０の基端側位置において径方向外側に拡径した拡径部５８ａと、拡径部５８ａの下側に連なる方形部５８ｂとを有する。このブロック収容部５８（拡径部５８ａ及び方形部５８ｂ）は、測光ブロック５４を基端側から内部に収容可能な形状とされている。
【００３１】
測光ブロック５４は、平板状に形成された基端側の基体６０と、基体６０の中央部からＸ１方向に突出した突出部６２とを有する。突出部６２の内部には、図示しない光路（貫通孔）が設けられており、光学系基板５６に設けられた発光素子から試験紙に向かう照射光、及び試験紙から受光素子へ向かう反射光を案内可能となっている。また、突出部６２の先端側には、照射光及び反射光を集光するためのレンズ６２ａが取り付けられている。
【００３２】
イジェクト機構４２は、突出部６２の周囲を囲う円弧状の押出部６４ａを有し、且つイジェクト操作子４０に接続されるイジェクト部材６４を含む。押出部６４ａは、先端ケース２８及び測光ブロック５４の間に挟まれて収容され、この先端ケース２８と相対的に進出することで、円筒部３０に取り付けられた測定チップ３２を取り外す。また、先端側に進出したイジェクト部材６４は、イジェクトばね６６により元の位置に復帰する構成となっている。
【００３３】
測光ブロック５４に取り付けられる光学系基板５６は、試験紙に染み込んだ血液の血糖値を光学的に検出する検出回路６８を有している。光学系基板５６は、測光ブロック５４の基端面を隙間なく閉塞する形状に形成され、ねじ止めにより測光ブロック５４に強固に連結される。光学系基板５６の測光ブロック５４を臨む面には、発光素子及び受光素子が実装され、その反対面には増幅器や他の素子が実装されている（図４参照）。
【００３４】
筐体１２、測定部２６の先端ケース２８及び測光ブロック５４を構成する材料としては、血糖計１０の低コスト化等を目的として樹脂材料を適用することが好ましい。このような樹脂材料としては、例えば、アクリル系樹脂、ポリスチレン、ポリエチレン、ポリプロピレン、硬質ポリ塩化ビニル、ポリカーボネート、ポリメチルメタクリレート、ＡＢＳ樹脂、ポリエステル、ポリフェニレンサルファイド（ＰＰＳ）、ポリアミド、ポリイミド、ポリアセタール等又はこれらのうちの１種以上を含むポリマーアロイ、ポリマーブレンド等が挙げられる。
【００３５】
光学系基板５６を有する測光ブロック５４とイジェクト部材６４の押出部６４ａは、先端ケース２８のブロック収容部５８内に収容された状態で、筐体１２の測定部配置部４８に収容される。収容時には、先端ケース２８の基端側に緩衝部材７０が取り付けられ、この緩衝部材７０が測定部２６と仕切板５２の間に配設される。
【００３６】
図４は、図２の測定部２６及び緩衝部材７０を基端方向から見た状態を示す部分斜視図である。仕切板５２と測定部２６の間に配置された緩衝部材７０は、測定部２６と仕切板５２の間を伝わる衝撃を吸収する衝撃吸収部として構成されている。すなわち、緩衝部材７０は、測定部２６にかかる衝撃を緩和することにより、測定部２６の各部材（先端ケース２８、測光ブロック５４及び光学系基板５６）の破損を低減する機能を有している。
【００３７】
緩衝部材７０は、先端ケース２８の基端側の周縁に沿った形状（輪）に形成され、その内部には先端及び基端方向に貫通する大きな孔部７０ａが設けられている。緩衝部材７０を構成している輪は、拡径部５８ａ及び方形部５８ｂの基端周面の幅よりも太く形成され、先端ケース２８の基端側の縁部の内側寄りを覆うことが可能となっている。これにより、緩衝部材７０は、衝撃により破損しやすい先端ケース２８の縁部を良好に保護することができる。
【００３８】
また、緩衝部材７０は、測定部２６に対するクッション性の向上の他に、測定部２６と仕切板５２との隙間をなくすことで、筐体１２側から回り込む埃や液体等が光学系基板５６に付着することを防ぐ機能も有している。
【００３９】
緩衝部材７０の孔部７０ａは、光学系基板５６の検出回路６８（素子等を含む）を開放することで、光学系基板５６の動作時の熱を逃がすことができる。この結果、熱による緩衝部材７０の変形が抑制される。なお、緩衝部材７０は、孔部７０ａを有さずに光学系基板５６を閉塞する構成であってもよい。これにより、測定部２６に対する遮光性をより向上することができる。
【００４０】
この緩衝部材７０は、測定部２６の衝撃を充分に吸収することが可能な材料によって構成されることが好ましい。緩衝部材７０を構成する材料としては、特に限定されるものではないが、例えば、シリコーンゲル等のゲル状材料、ポリウレタン樹脂を組成とした連通気泡の発泡体などの低反発フォーム材料、超低硬度ゴム材料等を好適に適用することができる。
【００４１】
図２及び図３に戻り、測定部配置部４８の基端側に配置されるメイン配置部５０には、制御系基板４４の平面が側面方向（Ｙ方向）を臨むように配置される。この制御系基板４４は、プリントによって配線回路が形成されており、配線回路上には所定の処理を実行するためのマイクロコンピュータやメモリ、その他の電子部品が実装されている。また、制御系基板４４は、図示しないフレキシブルケーブルにより光学系基板５６に接続され、光学系基板５６を動作させる（すなわち、血糖値を検出する）機能を有している。
【００４２】
制御系基板４４は、光学系基板５６によって検出された検出値を処理し、血糖値の測定及び管理を行うように構成される。また、制御系基板４４のＹ２側面の基端寄り（Ｘ２寄り）には、押しボタン１６ａに対応する感応部４４ａが設けられており、感応部４４ａからの信号によりユーザの操作を反映することが可能となっている。
【００４３】
制御系基板４４のＹ２方向側には、矩形状に形成されたホルダ７２が積層され、このホルダ７２には液晶パネル２２が嵌合保持される。ホルダ７２は、筐体１２に対し液晶パネル２２を位置決めし、表示面１４ａを筐体１２の窓から外側に臨ませる。また、ホルダ７２の基端側には、押しボタン１６ａを支持するボタン支持部７２ａが設けられている。押しボタン１６ａは、このボタン支持部７２ａにより弾性的に支持されることで、ユーザの押圧操作が実施可能となっている。
【００４４】
一方、制御系基板４４のＹ１方向側には電池部４６が設けられている。電池部４６は、筐体１２内の下部寄りに配置され、２本の電池１８と、この２本の電池１８を収納保持可能な電池収納ケース７４と、電池収納ケース７４と筐体１２の間を接続するケース支持部材７６（弾性部材）とを有する。
【００４５】
電池１８は、円柱状に形成された公知の一次電池（丸型乾電池）を適用することが可能であり、電池収納ケース７４に一対で収納されることにより血糖計１０を電気的に駆動可能な電力を供給する。なお、血糖計１０に用いられる電源は、丸型乾電池に限られるものではなく、角型乾電池、ボタン型電池、又は二次電池等を適用してもよい。
【００４６】
電池収納ケース７４は、Ｙ１方向側に開口する箱状に形成され、その長手方向が筐体１２のＸ方向に沿って延在するように取り付けられる。電池収納ケース７４の長手方向両端部の内側には、弾性的且つ電気的に電池１８を当接保持する金属片７４ａが設けられている。この電池収納ケース７４は、電池１８が収納されることで、測定部２６や制御系基板４４等の筐体１２内に収容される他の部材に比べて重量が重い重量部７５を構成する。
【００４７】
また、電池収納ケース７４のＸ方向両端部の外側には、ケース支持部材７６が連設されている。電池収納ケース７４は、ケース支持部材７６を介して筐体１２に固定されることで、制御系基板４４に対して非接触となるように配設される。
【００４８】
図５は、図１の血糖計１０の筐体１２及び電池部４６の関係性を示す要部斜視図である。電池部４６のケース支持部材７６は、衝撃を吸収する衝撃吸収部として構成される。このケース支持部材７６は、電池収納ケース７４の先端側の端部に連設される先端バネ部７８と、電池収納ケース７４の基端側の端部に連設される基端バネ部８０と有している。
【００４９】
図２及び図５に示すように、先端バネ部７８は、電池収納ケース７４に連設される２つの根本部８２（上側根本部８２ａ、下側根本部８２ｂ）と、上側根本部８２ａに連なる上側傾斜部８４ａ（延在部）と、下側根本部８２ｂに連なる下側傾斜部８４ｂ（延在部）と、上側及び下側傾斜部８４ａ、８４ｂの他端部を連結する連結部８６とを有する。上側根本部８２ａは電池収納ケース７４の上部寄りの端面に連なり、下側根本部８２ｂは電池収納ケース７４の下部寄りの端面に連なっている。また、上側傾斜部８４ａは、上側根本部８２ａから斜め下方に延在しており、下側傾斜部８４ｂは、下側根本部８２ｂから斜め上方に延在している。上側傾斜部８４ａと下側傾斜部８４ｂは、延在方向の中間部において互いに交差している。
【００５０】
連結部８６は、上側及び下側傾斜部８４ａ、８４ｂにより、電池収納ケース７４の端面から所定間隔離間した位置で、この端面と平行に延在するように支持される。連結部８６の所定箇所には、取付ネジ８８が螺合される第１ネジ部８６ａが設けられている。先端バネ部７８は、この第１ネジ部８６ａと筐体１２が取付ネジ８８により螺合されることで、電池収納ケース７４の先端側を弾性的に支持する。
【００５１】
一方、基端バネ部８０は、電池収納ケース７４から筐体１２の基端側上部の角部内側まで延在する上側バネ部９０と、電池収納ケース７４から筐体１２の基端側下部の角部内側まで延在する下側バネ部９２とにより構成される。上側及び下側バネ部９０、９２は、全体的にジグザグ形状に形成され、電池収納ケース７４の基端側を弾性的に支持している。
【００５２】
基端バネ部８０の形状を具体的に説明すると、上側及び下側バネ部９０、９２の根本部９０ａ、９２ｂは、互いに近接した位置で電池収納ケース７４に連設される。これら根本部９０ａ、９２ｂは、電池収納ケース７４のＸ２方向の端面の上部寄りに連設されている。
【００５３】
上側バネ部９０は、根本部９０ａから基端方向且つ下方向に延在する第１傾斜部９０ｂと、第１傾斜部９０ｂの一端部（延出端部）を屈曲し先端方向且つ上方向に延在する第２傾斜部９０ｃと、第２傾斜部９０ｃの他端部を屈曲し基端方向且つ下方向に延在する第３傾斜部９０ｄとを有する。第２傾斜部９０ｃは、第１及び第３傾斜部９０ｂ、９０ｄに比べて長く延在している。第３傾斜部９０ｄの延出端部には、第２ネジ部９０ｅが設けられており、この第２ネジ部９０ｅは取付ネジ８８により筐体１２に螺合される。
【００５４】
一方、下側バネ部９２は、根本部９２ａから基端方向且つ下方向に延在する第１傾斜部９２ｂと、第１傾斜部９２ｂの一端部（延出端部）を屈曲し先端方向且つ下方向に延在する第２傾斜部９２ｃと、第２傾斜部９２ｃの他端部を屈曲し基端方向且つ下方向に延在する第３傾斜部９２ｄとを有する。すなわち、上側及び下側バネ部９０、９２は、互いに近接した根本部９０ａ、９２ａから第１傾斜部９０ｂ、９２ｂが同方向（平行）に延在しており、第２傾斜部９０ｃ、９２ｃにおいて互いに異なる方向に延在している。また、下側バネ部９２の第２傾斜部９２ｃは、上側バネ部９０の第２傾斜部９０ｃに比べて短く形成されている。第３傾斜部９２ｄの延出端部には、第３ネジ部９２ｅが設けられており、この第３ネジ部９２ｅは、上側バネ部９０と同様に、取付ネジ８８により筐体１２に螺合される。
【００５５】
先端バネ部７８及び基端バネ部８０（上側バネ部９０、下側バネ部９２）は、電池収納ケース７４をＸ−Ｚ平面上に支持することで、筐体１２の内部空間に対し電池収納ケース７４を浮かせる。そのため、電池収納ケース７４は、Ｙ方向側に配設される制御系基板４４に接触することが防止される。また、電池収納ケース７４は、先端バネ部７８、上側及び下側バネ部９０、９２により異なる３方向から支持されることで、Ｘ−Ｚ平面上での振動も良好に抑えられる。
【００５６】
さらに、先端バネ部７８の上側及び下側傾斜部８４ａ、８４ｂ、上側及び下側バネ部９０、９２の第１〜３傾斜部９０ｂ〜９０ｄ、９２ｂ〜９２ｄ（以下、まとめて傾斜部９４ともいう）が、筐体１２と電池収納ケース７４に対し斜めに延設されていることで、筐体１２から伝達された衝撃を電池収納ケース７４の長手方向に沿って誘導することが可能となっている。すなわち、血糖計１０の落下時の衝撃は、先端バネ部７８、上側及び下側バネ部９０、９２の形状に基づき、筐体１２から電池収納ケース７４に伝達され、電池収納ケース７４をスムーズに長手方向に変位させる。
【００５７】
本実施形態に係る血糖計１０は、基本的には以上のように構成されるものであり、次にこの血糖計１０の作用効果について説明する。
【００５８】
血糖計１０の使用においては、測定チップ３２を測定部２６に装着し、ユーザが筐体１２を把持して測定チップ３２内への血液の採取を行う。その後、制御系基板４４の制御下に、光学系基板５６に実装されている発光素子から照射光を出射し、測定チップ３２の試験紙から反射した反射光を受光素子により受光する。そして、制御系基板４４では、受光素子が検出した光量に基づき血液中に含まれる血糖値を算出する。
【００５９】
ところで、血糖計１０の使用時や持ち運び時には、ユーザが不用意に血糖計１０を落としてしまうおそれがある。本実施形態に係る血糖計１０は、血糖計１０を落としてしまった場合でも、血糖計１０内における衝撃を大幅に低減することが可能となっている。
【００６０】
図６Ａは、血糖計１０の測定部２６から落下した際の衝撃の状態を概略的に示す第１説明図であり、図６Ｂは、血糖計１０の筐体１２から落下した際の衝撃の状態を概略的に示す第２説明図である。
【００６１】
図６Ａに示すように、血糖計１０は、測定部２６から床面に落下した場合、先端側の測定部２６から筐体１２の基端方向に向かって衝撃（荷重、エネルギー）が伝達される。この際、先端ケース２８の基端側に取り付けられた緩衝部材７０とケース支持部材７６により落下時の衝撃を容易に吸収することができる。すなわち、緩衝部材７０は、その基端側が仕切板５２により支持されているため、測定部２６からの衝撃にともない、筐体１２の内側（基端側）に測定部２６を弾性的に変位させる。つまり、血糖計１０が床面に落下したタイミングでは、測定部２６が筐体１２に対し一旦変位することで衝撃荷重が抑えられる。
【００６２】
また、落下時には、測定部２６から筐体１２を介して、電池部４６にも衝撃が伝達されるが、筐体１２と重量部７５の間を弾性的に連結するケース支持部材７６の弾性変形により衝撃が吸収される。すなわち、重量部７５が筐体１２（測定部２６）と相対的に変位することになり、重量部７５から測定部２６に伝達される荷重が時間的に分散される。
【００６３】
特に、重量部７５は、測定部２６の突出方向に対して傾斜するケース支持部材７６の傾斜部９４により、電池収納ケース７４の長手方向に弾性的に変位するように誘導される。そのため、測定部２６に対する重量部７５の相対変位がスムーズになされ、血糖計１０が床面に落下したタイミングでは、重量部７５の重量が測定部２６にかかることを抑制することができる。このように、測定部２６は、血糖計１０の落下時の衝撃が大幅に緩和されるため、先端ケース２８や測光ブロック５４の破損等が低減される。
【００６４】
また、図６Ｂに示すように、血糖計１０は、電池部４６近くの筐体１２側面から床面に落下した場合、衝撃が筐体１２の落下と反対方向（以下、初期伝達方向という）に向かい筐体１２内の電池部４６に伝達される。この落下時にも、ケース支持部材７６により、重量部７５に伝達される衝撃を容易に吸収することができる。すなわち、血糖計１０の落下時に、筐体１２に対し重量部７５の重量がかかることを抑制することができ、筐体１２の破損を低減することができる。
【００６５】
また、先端バネ部７８、上側及び下側バネ部９０、９２の傾斜部９４が電池収納ケース７４に対し傾斜していることで、衝撃が初期伝達方向に向かっても、先端バネ部７８、上側及び下側バネ部９０、９２において初期伝達方向と異なる方向に衝撃が分散される。よって、重量部７５には、ケース支持部材７６により吸収された衝撃が伝達されるので、重量部７５の振動を抑制することができる。
【００６６】
また、図６Ｂの落下時に筐体１２にかかる衝撃は、筐体１２から仕切板５２を介して測定部２６にも伝達される。しかしながら、仕切板５２と測定部２６の間に緩衝部材７０が介在していることで、緩衝部材７０により衝撃が容易に吸収される。そのため、仕切板５２から測定部２６にかかる衝撃も緩和されることになり、測定部２６の破損等を低減することができる。
【００６７】
なお、衝撃を吸収する衝撃吸収部は、上述した血糖計１０に限定して設けられるものではく、種々の装置に適用し得る。以下、血糖計１０（成分測定装置）の他の変形例について幾つか例示して説明する。なお、以下の説明において、本実施形態に係る血糖計１０と同一の構成又は同一の機能を有する構成については、同一の符号を付し、その詳細な説明については省略する。
【００６８】
図７に示す第１変形例に係る血糖計１０Ａは、先端方向に向かって先細りに形成された筐体１００を有している。筐体１００の先端部には、測定チップ３２が装着される測定部２６が設けられ、筐体１００の上面には、先端側からイジェクト操作子４０、表示部１４及び操作部１６が配設されている。筐体１００の内部には、制御系基板４４が上下を臨むように配設され、この制御系基板４４の上面側には表示部１４が装着され、その下面側には電池１８を収納した電池収納ケース７４が取り付けられている。すなわち、制御系基板４４は、表示部１４及び電池収納ケース７４（電池１８を含む）が取り付けられた一体的な部材（重量部１０２）として構成されている。
【００６９】
第１変形例に係る血糖計１０Ａは、この重量部１０２に対して衝撃を吸収する衝撃吸収部が設けられている。具体的には、制御系基板４４の長手方向両端部に弾性部材１０４が連設されている。先端部側の弾性部材１０４は、制御系基板４４の角部から斜め先端に延在する一対の棒部１０６を有し、延在方向の中間部においてこの一対の棒部１０６が互いに交差している。一対の棒部１０６の延出端部は、筐体１００の内面にねじ止め等により固定される。同様に、基端側の弾性部材１０４も、斜め基端に延在して交差し筐体１００の内面に固定される一対の棒部１０６を有している。
【００７０】
第１変形例に係る血糖計１０Ａは、弾性部材１０４を有することで、重量部１０２（制御系基板４４、表示部１４、電池収納ケース７４及び電池１８）に対し筐体１００から伝達される衝撃を良好に吸収することができる。すなわち、衝撃吸収部は、重量部１０２を弾性的に支持する弾性部材１０４のみにより構成されてもよい。この弾性部材１０４は、血糖計１０Ａの落下タイミングにおいて、重量部１０２から測定部２６にかかる重量を効果的に抑制することができ、測定部２６の破損を低減することができる。
【００７１】
図８に示す第２変形例に係る血糖計１０Ｂは、筐体１２の先端部中央に測定部２６が設けられ、この測定部２６の基端側に緩衝部材７０（衝撃吸収部）が設けられている。すなわち、衝撃吸収部は、第１変形例に係る衝撃吸収部とは逆に、測定部２６にかかる衝撃を吸収する緩衝部材７０のみにより構成されてもよい。
【００７２】
以上のように、本実施形態に係る血糖計１０、１０Ａ、１０Ｂによれば、筐体１２、１００に設けられた緩衝部材７０、ケース支持部材７６、又は弾性部材１０４によって、血糖計１０の落下時に、測定部２６と重量部７５、１０２が相対変位することで、測定部２６にかかる衝撃を良好に吸収することができる。従って、例えば、複数の電池１８が筐体１２、１００内に収容されて重量が増した構成や、測定部２６が樹脂材料からなる構成であっても、測定部２６の耐衝撃性を大幅に向上することができる。
【００７３】
すなわち、筐体１２、１００内に収容される部材や測定部２６の破損等を抑制することができ、血糖計１０、１０Ａ、１０Ｂを不用意に落としたとしても、故障（例えば、測定部２６に対する測定チップ３２の装着性の低下、測定部２６の遮光性の低下）の発生が低減されるので、装置の取扱性を高めることができる。
【００７４】
また、ケース支持部材７６や弾性部材１０４が重量部７５、１０２の長手方向に対して傾斜する傾斜部９４、棒部１０６を有することで、衝撃を斜め方向に受け流すことが可能となり、重量部７５、１０２を長手方向（測定部２６の突出方向）に弾性的に変位させることができる。そのため、測定部２６又は筐体１２、１００から伝達される衝撃が、測定部２６の突出方向に一層確実に吸収され、測定部２６の耐衝撃性をさらに高めることができる。さらに、電池部４６は、電池１８の脱落や電池収納ケース７４が周辺の部材に接触して他の部材を破損することを抑制することができる。
【００７５】
なお、本発明は、上述の実施形態に限らず、本発明の要旨を逸脱することなく、種々の構成を採り得ることは勿論である。例えば、本発明に係る成分測定装置は、体液である尿の成分を測定する装置に適用してもよく、或いは、体液以外に、排水や工業用水等の成分測定を行う装置として適用してもよい。
【図１】
2014041679.tif 000003
【図２】
2014041679.tif 000004
【図３】
2014041679.tif 000005
【図４】
2014041679.tif 000006
【図５】
2014041679.tif 000007
【図６】
2014041679.tif 000008
【図７】
2014041679.tif 000009
【図８】
2014041679.tif 000010
【手続補正書】
【提出日】平成28年2月19日(2016.2.19)
【手続補正１】
【補正対象書類名】明細書
【補正対象項目名】０００６
【補正方法】変更
【補正の内容】
【０００６】
前記の目的を達成するために、本発明は、筐体と、前記筐体から突出し、液体中の成分を検出可能な測定部と、前記筐体内に収容される部材のうち電力を供給可能な電池を収容した収容部を含む重量部とを有する成分測定装置であって、前記筐体内に設けられ、前記測定部に作用する衝撃を吸収する衝撃吸収部を備え、前記衝撃吸収部は、前記成分測定装置の落下時に弾性変形することにより、前記測定部と前記重量部を相対変位させることを特徴とする。
【手続補正２】
【補正対象書類名】明細書
【補正対象項目名】０００７
【補正方法】変更
【補正の内容】
【０００７】
上記によれば、成分測定装置は、筐体内に設けられた衝撃吸収部によって、成分測定装置の落下時に、測定部と重量部が相対変位することで測定部にかかる衝撃を良好に吸収することができる。従って、成分測定装置は、例えば、複数の電池等の重い部材を筐体内に収容した構成、又は測定部が樹脂材料からなる構成を採用した場合でも、測定部の耐衝撃性を大幅に向上して、測定部の破損等を抑制することができる。その結果、成分測定装置を落としたとしても、故障の発生が低減されて、装置の取扱性を高めることができる。また、衝撃吸収部は、電池を収容した収容部に伝達される衝撃を吸収することができ、電池の脱落や収容部による他の部材の破損等を抑制することができる。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
筐体（１２、１００）と、
前記筐体（１２、１００）から突出し、液体中の成分を検出可能な測定部（２６）と、
前記筐体（１２、１００）内に収容される部材のうち電力を供給可能な電池（１８）を収容した収容部（７４）を含む重量部（７５、１０２）とを有する成分測定装置（１０、１０Ａ、１０Ｂ）であって、
前記筐体（１２、１００）内に設けられ、前記測定部（２６）に作用する衝撃を吸収する衝撃吸収部（７０、７６、１０４）を備え、
前記衝撃吸収部（７０、７６、１０４）は、前記成分測定装置（１０、１０Ａ、１０Ｂ）の落下時に弾性変形することにより、前記測定部（２６）と前記重量部（７５、１０２）を相対変位させる
ことを特徴とする成分測定装置（１０、１０Ａ、１０Ｂ）。
【請求項２】
請求項１記載の成分測定装置（１０、１０Ａ）において、
前記衝撃吸収部（７０、７６、１０４）は、前記筐体（１２、１００）と前記重量部（７５、１０２）の間を弾性的に連結する弾性部材（７６、１０４）を含む
ことを特徴とする成分測定装置（１０、１０Ａ）。
【請求項３】
請求項２記載の成分測定装置（１０、１０Ａ）において、
前記弾性部材（７６、１０４）は、前記筐体（１２、１００）から突出する前記測定部（２６）の突出方向に対応する前記重量部（７５、１０２）の少なくとも一方側に配設され、前記突出方向に対し傾斜して延在し前記筐体（１２、１００）に連結される延在部（９４、１０６）を有する
ことを特徴とする成分測定装置（１０、１０Ａ）。
【請求項４】
請求項１〜３のいずれか１項に記載の成分測定装置（１０、１０Ｂ）において、
前記衝撃吸収部（７０、７６、１０４）は、前記測定部（２６）の突出方向の反対面と前記筐体（１２、１００）に連なる連設部（５２）の間に設けられる緩衝部材（７０）を含む
ことを特徴とする成分測定装置（１０、１０Ｂ）。
【請求項５】
請求項４記載の成分測定装置（１０、１０Ｂ）において、
前記緩衝部材（７０）は、前記反対面に配置されている検出回路（６８）の周囲を囲うように設けられる
ことを特徴とする成分測定装置（１０、１０Ｂ）。
【国際調査報告】
2014041679.tif 000011
2014041679.tif 000012
2014041679.tif 000013
2014041679.tif 000014